(57)【要約】【課題】  クレードルに対するモニタ装置の装着姿勢に応じて、所定の機能モードの仕様に基づく画面表示が行われるようにして使い勝手の向上を図る。【解決手段】  矩形の画面のモニタ４と、筐体３２の異なる位置に設けられた第１の接続コネクタ部３３及び第２の接続コネクタ部３４と、これら第１の接続コネクタ部又は第２の接続コネクタ部の接続状態の検出結果に基づいてモニタ４の画像表示を横型表示モード又は縦型表示モードに切り換える制御処理部８とを有するモニタ装置２と、モニタ装置２を縦置き姿勢又は横置き姿勢で装着可能とする装着部３７と、この装着部３７に設けられてモニタ装置２の装着姿勢に応じて第１の接続コネクタ部３３又は第２の接続コネクタ部３４と選択的に接続されるコネクタ受け部３６とを有するクレードル３とから構成する。【選択図】  図１
2005043676.tif 000002
【特許請求の範囲】
【請求項１】
矩形の表示画面と、筐体の相異なる位置に設けられた少なくとも第１の接続コネクタ部及び第２の接続コネクタ部と、これら第１の接続コネクタ部又は第２の接続コネクタ部の接続状態の検出結果に基づいて上記表示画面における画像表示を横型の表示モードと縦型の表示モードとに切り換える制御を行う制御処理部とを有する可搬型モニタ装置と、
上記モニタ装置を縦置き姿勢又は横置き姿勢で装着可能とする装着部と、この装着部に設けられて上記モニタ装置の装着姿勢に応じて上記第１の接続コネクタ部又は第２の接続コネクタ部と選択的に接続されるコネクタ受け部とを有するクレードルと
を備えることを特徴とする情報端末装置。
【請求項２】
上記筐体が略矩形の箱体を呈しており、長さ方向の相対する側面部にそれぞれ第１の接続コネクタ部と第２の接続コネクタ部とを設けかつ幅方向の相対する側面部にそれぞれ第３の接続コネクタ部と第４の接続コネクタ部とを設けてなり、
上記モニタ装置が、上記コネクタ受け部に対する上記第１の接続コネクタ部乃至第４の接続コネクタ部の接続状態が検出されることにより、上記クレードルに対する装着姿勢に応じて画像表示モードを縦型の表示モード又は横型の表示モード或いはこれらの上下反転表示モードのいずれか一の表示モードに設定されることを特徴とする請求項１に記載の情報端末装置。
【請求項３】
矩形の表示画面と、接続コネクタ部と、上記表示画面における画像表示を横型の表示モードと縦型の表示モードとに切り換える制御を行う制御処理部とを有する可搬型モニタ装置と、
上記モニタ装置を縦置き姿勢又は横置き姿勢で装着可能とする装着部と、この装着部の相異なる位置に設けられて上記モニタ装置の装着姿勢に応じて上記接続コネクタ部と選択的に接続される少なくとも第１のコネクタ受け部及び第２のコネクタ受け部と、これら第１のコネクタ受け部又は第２のコネクタ受け部と上記モニタ装置の接続コネクタ部との接続状態を検出する検出部とを有するクレードルと
を備えることを特徴とする情報端末装置。
【請求項４】
上記モニタ装置が、横型表示モード或いは縦型表示モードで画像出力が行われる複数の機能モードを有しており、
上記クレードルに対して縦置き姿勢又は横置き姿勢で装着することによって上記コネクタ受け部に対する上記第１の接続コネクタ部又は第２の接続コネクタ部の接続状態が検出されることにより、上記制御部を介して所定の機能モードの設定が行われることを特徴とする請求項１乃至請求項３のいずれか１項に記載の情報端末装置。
【発明の詳細な説明】
【技術分野】
【０００１】
本発明は、表示器と情報記憶部とを有して多機能化或いは複合機能化が図られ持ち運び使用されるモニタ装置と、適宜のシステム機器に付設等して設置されて着脱されるモニタ装置をシステム機器と接続して適宜の画像表示を行わさせるクレードルとから構成される情報端末装置に関する。
【背景技術】
【０００２】
情報端末装置は、小型軽量化や多機能化或いは大記憶容量化が図られており、さまざまな場所に持ち運ばれて単独或いはシステム機器との接続が行われて所定の機能動作が奏される。例えばパーソナルユースの携帯型情報端末装置（PDA:Personal Digital Assistant）は、搭載した無線送受信機能によって単独で情報の授受を行うとともに宅内に設置したパーソナルコンピュータ等の宅内装置と接続して情報の授受が行われる。ＰＤＡは、自動車内に持ち込んで例えばカーオーディオシステム等の車載装置と接続することにより、各種の情報を相互に授受するといった形態でも使用することが可能である。
【０００３】
また、携帯型の情報端末装置には、情報信号を記録する圧縮方法によっても異なるが従来の一般的なＣＤ（compact disc）の数千枚分の情報信号等を記録することが可能な大容量記録特性を有するハードディスクや各種光ディスク等の記録媒体が用いられる大容量記憶装置を備えたものも提供されている。かかる情報端末装置によれば、音声或や音楽等の音響情報ばかりでなく映画やアニメーション等のコンテンツ等を大量に記録再生することも可能である。また、かかる情報端末装置は、例えば自動車内に持ち込んで車載装置と接続されることによって、記憶情報をこの車載装置のスピーカやモニタを利用して再生するといったように使用されることも可能である。
【０００４】
ところで、カーナビゲーション装置は、ＧＰＳ（Global Positioning System）受信システム及び各種の自立航行センサと、地図情報やガイド情報を記憶した光ディスク等の記録媒体と、液晶表示器等のモニタ等から構成され、自動車に搭載されて自車位置や目的地までの経路或いは渋滞状況等のガイドが行われる。カーナビゲーション装置は、衛星からのＧＰＳ信号と自立航行センサからのセンサ出力とにより自車の現在位置情報を求め、この現在位置情報に基づいて記録媒体から必要な地図情報等を取り出してモニタに表示するとともにスピーカから必要な音声ガイドが行われるようにする。
【０００５】
カーナビゲーション装置においては、縦長画面での使用が適している場合と、横長画面での使用が適している場合とがある。カーナビゲーション装置は、自車位置を中心としてその進行方向の状況を広域に表示するような場合に、縦長画面に地図画像が表示されるようにしたほうが使い勝手がよい。
【０００６】
カーナビゲーション装置は、例えば広域地図と詳細地図を同時に表示したり、地図情報を表示した画面に交通情報等の子画面を表示させるといったようにして使用される。カーナビゲーション装置は、このような２画面表示を行う場合に、横長画面に地図画像が表示されるようにしたほうが使い勝手がよい。さらに、カーナビゲーション装置においては、ユーザが例えば表示された地図画像の周辺地域も確認する必要が生じた場合にスクロール操作が行われるが、その場合に縦長画面では自車位置が画面から外れて表示されなくなってしまう。カーナビゲーション装置は、例えばダッシュボード上に設置した場合に、前方の運転視野を確保するためには横長に設置したほうが好ましい。
【０００７】
したがって、カーナビゲーション装置においては、例えば、特許文献１や特許文献２に開示されるようにモニタを回転機構によって支持部に対して回転自在に支持することにより、ユーザの好みや使用状況に応じて縦長画面と横長画面との切換を可能とするようにしたものも提案されている。かかるカーナビゲーション装置においては、必要に応じて現在位置の表示を保持しながら進行方向或いは周辺領域をさらに広域で表示することが可能となる。
【０００８】
【特許文献１】特開平１０−１３３５６８号公報
【特許文献２】特開２００２−３１０６７８号公報
【発明の開示】
【発明が解決しようとする課題】
【０００９】
ところで、携帯型情報端末装置においては、各種のシステム機器と接続して使用する場合や自動車内に持ち込んで使用する場合に、これらに設置されたクレードルに装着して使用される。クレードルは、携帯型情報端末装置を装着保持する装着部と、携帯型情報端末装置とシステム機器とを電気的に接続するコネクタ部とが設けられている。
【００１０】
携帯型情報端末装置は、上述したように大容量記憶装置や無線送受信機能等を備えて多機能化が図られており単独或いは各種のシステム機器と接続されて所定の機能を奏する。携帯型情報端末装置においては、情報授受を行う場合に、手持ち使用を基本形態とすることでモニタの表示画面を横型にして用いることが一般的である。また、携帯型情報端末装置は、例えばコンテンツ再生、テレビ放送の受信或いは自動車内に持ち込んでカーナビゲーション装置として用いる場合等において、モニタの表示画面を縦長にして用いることが一般的である。携帯型情報端末装置は、特にカーナビゲーション装置として用いる場合に縦型画面と横型画面とに切換可能であることが好ましい。
【００１１】
したがって、携帯型情報端末装置においては、縦型用のクレードルと横型用のクレードルとを用意して、上述した機能形態に応じてこれらを選択して装着するといった対応が図られる。しかしながら、かかる対応は、２種類のクレードルを必要とするとともに機能形態を変える都度着脱操作を行わなければならず、実用的では無い。携帯型情報端末装置においては、上述した先願のカーナビゲーション装置のように回転機構を備えて縦横兼用型のクレードルに装着して用いることも考慮されるが、かかる使用の態様でもクレードルの回転操作と所定の機能モードの設定操作とを行わなければならず使い勝手が悪いといった問題がある。
【００１２】
携帯型情報端末装置においては、多機能化が図られて様々な機能モードで使用され、所定の出力が縦長画面や横長画面に表示される。携帯型情報端末装置においては、例えば横長画面用の機能モードについて縦長画面で用いた場合に両側部位を表示できないことがある。携帯型情報端末装置においては、この場合にスクロール操作や表示倍率の変更といった対応が図られる。
【００１３】
したがって、本発明は、クレードルに対するモニタ装置の装着姿勢に応じて、所定の機能モードの仕様に基づく画面表示が行われるようにして使い勝手の向上を図る情報端末装置を提供することを目的に提案されたものである。
【課題を解決するための手段】
【００１４】
上述した目的を達成する本発明にかかる情報端末装置は、可搬型のモニタ装置と、クレードルとから構成される。モニタ装置は、矩形の表示画面と、筐体の相異なる位置に設けられた少なくとも第１の接続コネクタ部及び第２の接続コネクタ部と、これら第１の接続コネクタ部又は第２の接続コネクタ部の接続状態の検出結果に基づいて表示画面における画像表示を横型の表示モードと縦型の表示モードとに切り換える制御を行う制御処理部とを有する。クレードルは、モニタ装置を縦置き姿勢又は横置き姿勢で装着可能とする装着部と、この装着部に設けられてモニタ装置の装着姿勢に応じて第１の接続コネクタ部又は第２の接続コネクタ部と選択的に接続されるコネクタ受け部とを有する。
【００１５】
また、情報端末装置は、可搬型モニタ装置が、矩形の表示画面と、接続コネクタ部と、表示画面における画像表示を横型の表示モードと縦型の表示モードとに切り換える制御を行う制御処理部とを有する。情報端末装置は、クレードルが、モニタ装置を縦置き姿勢又は横置き姿勢で装着可能とする装着部と、この装着部の相異なる位置に設けられてモニタ装置の装着姿勢に応じて接続コネクタ部と選択的に接続される少なくとも第１のコネクタ受け部及び第２のコネクタ受け部と、これら第１のコネクタ受け部又は第２のコネクタ受け部とモニタ装置の接続コネクタ部との接続状態を検出する検出部とを有する。
【発明の効果】
【００１６】
以上のように構成された本発明にかかる情報端末装置によれば、モニタ装置に設けられた複数の接続コネクタ部とクレードルに設けたコネクタ受け部との接続状態を検出し、モニタの画像表示モードが機能モードに適合した縦型表示モード或いは横型表示モードのいずれか一方に自動的に設定される。したがって、情報端末装置によれば、モニタ装置の装着姿勢に応じて所定の機能モードの仕様に基づく表示モードの切換操作等を不要として、所定の機能モードに適合した縦型表示或いは横型表示の最適な画像表示が行われるようになり使い勝手の向上が図られる。情報端末装置によれば、例えばスクロール機能を有していない機能モードで使用した場合であっても周囲の画像切れといった現象の発生が防止され、また表示画像を縮小して全体を表示させるといった操作も不要となりモニタの画面を効率的に利用した画像表示が行われるようになる。
【発明を実施するための最良の形態】
【００１７】
以下、本発明の実施の形態として図面に示した携帯型情報端末装置の詳細について説明する。情報端末装置１は、情報処理機能や無線通信機能を有していわゆるＰＤＡと称されるモニタ装置２と、このモニタ装置２が着脱されるクレードル３とから構成される。モニタ装置２は、文字情報や画像情報等を表示する矩形の表示画面を有するモニタ４を備えている。モニタ装置２は、クレードル３に装着して用いるばかりでなく、単独で用いられてパーソナルコンピュータや外部情報処理装置等との間で無線接続或いは有線接続されて情報の授受等を行うことも可能である。
【００１８】
モニタ装置２は、詳細を後述するように、情報処理部や大容量情報記憶部或いは無線通信ユニットや画像・音声出力部等を備えている。モニタ装置２は、充電が可能な内部電源を有しており、適宜の場所に持ち運んで使用することが可能である。モニタ装置２は、適宜のスロット部５を備えており、機能拡張モジュールや外部記憶メモリモジュール等の拡張モジュール体６を挿脱操作してこれらと情報の授受を行うことを可能とする。モニタ装置２は、情報端末機能とともに、例えばオーディオビジュアル（AV:audio-visual）処理機能やカーナビゲーション機能等の複合機能を有している。
【００１９】
クレードル３は、例えばパーソナルコンピュータや各種のシステム機器、情報処理装置等と接続され、或いは自動車のコンソールボックスやダッシュボード等に設置されて例えばカーオディオ装置等と接続される。クレードル３は、これが接続される装置や機器（以下、主機器と称する。）７に対して、装着したモニタ装置２を接続させて情報等の授受が行われるようにする。クレードル３は、適宜のロック機構とロック解除機構とが設けられており、モニタ装置２がワンタッチ操作で装着されるとともにワンタッチ操作で取り外すことが可能である。
【００２０】
情報端末装置１は、図１に示すように、モニタ装置２が表示画面を縦長とする縦置き姿勢Ｐ１で装着されるようにする第１のクレードル３Ａと、モニタ装置２が表示画面を横長とする横置き姿勢Ｐ２で装着されるようにする第１のクレードル３Ｂとが用いられる。情報端末装置１は、詳細を後述するようにモニタ装置２においてクレードル３に対する装着姿勢を検出することにより、この装着姿勢に適合した機能モードが選択されてそのアプリケーションソフトウェアが起動されて表示画面に最適な表示が行われるようにする。
【００２１】
モニタ装置２は、図２に示すように、全体の制御動作を担当する制御処理部８と、所定の機能モードの設定操作や切換操作等の適宜の入力操作を行う入力操作部９と、音響情報や画像情報を出力処理するモニタ４を含む出力部１０と、音響情報や画像情報の記憶や再生処理等を行う情報記憶処理部１１と、主機器７等との無線による情報等の授受を行う無線通信部１２と、主機器７等との有線による情報等の授受を行う接続部１３と、電源部１４とを備える。また、モニタ装置２は、クレードル３に対して縦置き姿勢Ｐ１又は横置き姿勢Ｐ２のいずれによって装着して用いられているかを検出する機能を有するクレードル装着部１５を備えている。
【００２２】
制御処理部８は、詳細を省略するが、ＣＰＵ（Central Processing Unit）やＲＯＭ（read-only memory）或いはＲＡＭ（random-access memory）等を備えている。制御処理部８は、予め定めたプログラムに基づいてモニタ装置２の全体の制御動作や構成各部の動作を制御するコントローラ機能や構成各部から出力された制御信号等の処理機能を奏する。制御処理部８には、例えば電源部１４の二次電池２９によってバックアップされたＳＲＡＭ（static random-access memory）やフラッシュメモリ等の不揮発性メモリ（non-volatile memory）も備えられる。制御処理部７は、接続するシステム側からの電源供給が切れた場合でも、不揮発性メモリに記憶した情報等が保持されるようにする。
【００２３】
制御処理部８には、後述するようにクレードル装着部１５によって検出されたコネクタ識別信号が入力されることによって、出力部１０による画像の表示方法を制御する。制御処理部８は、コネクタ識別信号に基づいて情報記憶処理部１１により処理する記憶情報或いはスロット部５に装填された拡張モジュール体６に記憶された各記憶情報の再生操作を制御する。
【００２４】
入力操作部９は、上述したようにモニタ４の表示画面を含んで構成されるが、例えば詳細を省略するが筐体３２に設けられてリモートコントローラ等から無線出力された制御信号を受信する信号受信部を含んで構成してもよい。入力操作部９は、例えば機能モードの設定操作、ボリュームの調整操作、再生情報の選択操作或いは再生指示操作等の種々の入力操作を行う。入力操作部９は、例えば所定の機能モードに設定した状態において、各種の切換操作や調整操作、チャンネル切換操作やコンテンツ選択操作或いはボリューム調整操作や輝度調整操作等を行う。入力操作部９は、モニタ装置２をカーナビゲーション機能モードに設定した状態において、例えばルート設定操作や画面に出力された地図のスクロール操作等を行う。
【００２５】
出力部１０は、スピーカ１６と音響情報出力制御部１７とを有する音響出力部１８と、モニタ４と画像情報出力制御部１９とを有する画像出力部２０とを備えている。出力部１０は、モニタ４にいわゆるタッチパネル画面装置が用いられることにより、適宜の信号入力を行う入力操作部の機能も奏する。出力部１０は、情報記憶処理部１１から出力された種々の情報等を出力する。出力部１０は、無線通信部１２を介して取得した外部情報等や、接続部１３と接続された主機器７からの種々の取得情報等を出力する。出力部１０は、モニタ装置２に装填された拡張モジュール体６からの種々の情報等を出力する。
【００２６】
すなわち、音響出力部１８は、情報記憶処理部１１において再生されて出力された音楽情報や音声情報、無線通信部１２によって受信したテレビ放送やラジオ放送等の受信情報やガイダンス情報等の音楽情報や音声情報をスピーカ１６から出力する。音響出力部１８は、制御処理部８を介して入力される音響情報について、音響情報出力制御部１７においてＤ／Ａ（digital/analog）変換或いは入力操作部９によって設定されたボリューム値や音質等の調整等の適宜の処理を行ってスピーカ１６から出力させる。
【００２７】
画像出力部２０は、再生操作された記憶情報、受信したテレビ放送等或いは各種の画像情報をモニタ４から出力する。画像出力部２０は、具体的には、情報記憶処理部１１、無線通信部１２或いは接続部１３から出力された画像情報に基づいて制御処理部７において生成した画像イメージデータが供給される。画像出力部２０は、画像情報出力制御部１９において画像イメージデータから画像データを生成して、モニタ４から画像出力する。画像情報出力制御部２０は、表示画素数（表示解像度）に応じた画面同期信号等のタイミング信号の生成、複数の画像データの合成或いは表示範囲の制御等の機能を奏するようにしてもよい。画像情報出力制御部２０は、表示データを保持するデータ記憶部も保有しているが、このデータ記憶部については例えば制御処理部８の内部記憶部にその機能を保有させるようにしてもよい。
【００２８】
情報記憶処理部１１は、例えばハードディスク（hard disc）や光ディスクを有して各種の情報を大容量で記憶可能な大容量情報記憶部２１と、筐体３２に設けられて拡張モジュール体６が装填されるスロット部５と、大容量情報記憶部２１や拡張モジュール体６に記憶された適宜の記憶情報を再生しまたこれらに適宜の情報を記録する記録再生部２２等を備えて構成される。情報記憶処理部１１は、大容量情報記憶部２１内に、例えば地図情報を含むカーナビゲーション情報や音楽、映画或いはゲーム等の多数のコンテンツ等が記憶される。
【００２９】
情報端末装置１には、光ディスクとして、例えば読み出し専用光ディスク（CD-ROM:compact disc read-only memory）や多目的デジタル光ディスク（DVD:digital versatile disc）が用いられる。カーナビゲーション情報は、例えば道路地図の画像情報や地名等の検索情報或いは自動経路計算等に用いられる交通規制情報や、これらを受信したＧＰＳ信号と自立航行センサの出力とにより算出した現在位置情報に基づいて地図上に表示する際の道路リンク情報（ＰＯＩ情報；point of interest情報）等の各種の情報を有している。大容量情報記憶部２１や拡張モジュール体６は、コンテンツとともにそれらの一般的なインデックス情報が記憶される。
【００３０】
記録再生部２２には、詳細を省略するが磁気ヘッド機構や光学ピックアップ或いはレーザ装置等からなる記録再生機構が備えられており、大容量情報記憶部２１やスロット部５に装填された拡張モジュール体６から所定のコンテンツや地図情報等の記憶情報を再生する。また、記録再生部２２は、所定の操作が終了すると制御処理部８の指示に基づいて大容量情報記憶部２１や拡張モジュール体６に取得情報の上書き処理等を行う。
【００３１】
無線通信部１２は、アンテナ２３と接続された無線受信ユニット２４やＧＰＳアンテナ２５と接続されたＧＰＳ受信ユニット２６等を備えている。無線通信部１２は、アンテナ２８によって受信したパーソナルコンピュータからの情報や、ラジオ放送、テレビ放送或いは適宜のデータ情報等を無線受信ユニット２４において適宜処理し、制御処理部８を介してスピーカ１６やモニタ４から出力させるとともに必要に応じて大容量情報記憶部２１或いは拡張モジュール体６に記憶させる。
【００３２】
無線通信部１２は、ＧＰＳアンテナ２５によって受信したＧＰＳ信号（Ｌ１帯のＣ／Ａコード：corrective action code）と自動車に適宜設置された自立航行センサの出力とに基づいてＧＰＳ受信ユニット２６において現在位置の緯度・経度情報の割り出し等の処理を行って位置情報を制御処理部８へと出力する。制御処理部８は、ＧＰＳ受信ユニット２６から出力された位置情報に基づいて制御処理部８において大容量情報記憶部２１に記憶されたカーナビゲーション情報との対応処理を行い、ガイド情報をスピーカ１６から出力するとともに地図画像をモニタ４に表示する。なお、無線通信部１２については、例えば無線受信ユニット２４とアンテナ２３とを搭載した無線カードを装填することにより機能付加するように構成してもよい。
【００３３】
接続部１３は、接続された拡張モジュール体６や無線或いは有線で接続されたパーソナルコンピュータ等との間において制御信号や情報信号等の授受が行われるようにするインターフェース部２７と、コネクタからなる主機器接続部２８等を備えている。
【００３４】
モニタ装置２は、電源部１４に充電可能な二次電池２９を内蔵することによって適宜の場所に持ち運んで使用することが可能である。モニタ装置２は、二次電池２９とともに、家庭用電源或いはシガーソケット等を利用した自動車バッテリ等の外部電源３０との接続が行われ、電源制御部３１において所定の電源処理が行われた後に各部に対して電源供給が行われる。
【００３５】
クレードル装着部１５は、モニタ装置２を上述したように第１のクレードル３Ａと第２のクレードル３Ｂとに装着することを可能とする。クレードル装着部１５は、詳細を省略するが筐体３２に設けられて、クレードル３に対して円滑に着脱操作されるようにするガイド部や装着した状態が保持されるようにする適宜の保持部等を有する。クレードル装着部１５には、モニタ装置２をクレードル３に装着する際に選択的に接続される第１のコネクタ部３３及び第２のコネクタ部３４とが設けられるとともに、クレードル３との接続状態を検出するコネクタ検出部３５が設けられている。
【００３６】
第１のコネクタ部３３と第２のコネクタ部３４は、互いに同一仕様の一般的なデータ伝送用の多ピン構造のコネクタからなる。第１のコネクタ部３３は、筐体３２の底面部３２ａに配置され、モニタ装置２がクレードル３に対して縦置き姿勢Ｐ１で装着された際にこのクレードル３側に設けたコネクタ受け部３６と接続される。第２のコネクタ部３４は、筐体３２の側面部３２ｂに配置され、モニタ装置２がクレードル３に対して横置き姿勢Ｐ２で装着された際にこのクレードル３側に設けたコネクタ受け部３６と接続される。
【００３７】
コネクタ検出部３５は、例えば第１のコネクタ部３３と第２のコネクタ部３４の入出力端子の状態を検出することによって、これら第１のコネクタ部３３と第２のコネクタ部３４のいずれがクレードル３側のコネクタ受け部３６と接続されているかを検出する。コネクタ検出部３５は、検出信号を制御処理部８へと出力する。換言すれば、コネクタ検出部３５は、モニタ装置２がクレードル３に対して縦置き姿勢Ｐ１で装着されているか或いは横置き姿勢Ｐ２で装着されているかを検出して検出信号を制御処理部８へと出力する。
【００３８】
モニタ装置２は、筐体３２に設けたスロット部５に装填された拡張モジュール体６から記憶された種々の記憶情報等を情報記録処理部１１の記録再生部２２によって再生する。モニタ装置２は、拡張モジュール体６に対して、上述したように必要に応じて記録再生部２２によって所定の情報等を記録する。モニタ装置２は、使用時において拡張モジュール体６を筐体３２の内部に収納した状態とするとともに、用済み後に図示しないイジェクト機構を操作することによりその一部が筐体３２から突出させて取り出しが行われるようにする。
【００３９】
以上のように構成されたモニタ装置２においては、電源スイッチの操作により電源部１４から各部に対して電源が供給され、モニタ４に初期画面が表示される。モニタ装置２においては、この初期画面に表示された機能モードの選択用アイコン（icon）がタッチされることによって制御処理部８が動作し、アプリケーションソフトウェアが起動されて各部の動作が行われるとともに所定の画面への切換が行われる。モニタ装置２においては、モニタ４に表示されたガイド画面或いはスピーカ１６からの音声ガイドにしたがい、所定の操作が行われる。
【００４０】
モニタ装置２は、クレードル３に対して縦置き姿勢Ｐ１と横置き姿勢Ｐ２で装着することが可能とされるが、この装着姿勢がコネクタ検出部３５によって検出されることによって機能モードの自動選択が行われる。モニタ装置２は、この場合に縦置き姿勢Ｐ１で装着することによってモニタ４を縦長画面で使用することが好適な機能モードの初期画面と、横置き姿勢Ｐ２で装着することによってモニタ４を横長画面で使用することが好適な機能モードの初期画面が表示されるようにしてもよい。
【００４１】
クレードル３は、上述したモニタ装置２をワンタッチ操作で装着することを可能とするとともに、モニタ装置２を装着状態でしっかりと保持するロック機構や保持状態をワンタッチ操作で解除するロック解除機構等を備えたモニタ装着部３７が設けられている。クレードル３には、図示しないがモニタ装着部３７にコネクタが設けられており、主機器７との接続が行われる。
【００４２】
クレードル３は、例えば自動車のダッシュボード等に設置され、筐体から引き出された接続ケーブルが例えば車内に設置されたカーオーディオ装置やテレビ受信機等の外部入力部と接続されるとともに電源コードがシガーソケット等を介して電源部と接続される。クレードル３は、モニタ装置２が装着されることによって、このモニタ装置２を上述した機器と接続させる。
【００４３】
第１のクレードル３Ａは、第１のモニタ装着部３７Ａが、図１に示すようにモニタ装置２を縦長にして装着した状態において筐体３２の底面部３２ａとその両側面部３２ｂ、３２ｃを保持するに足る空間部を構成してなる。第１のクレードル３Ａは、第１のモニタ装着部３７Ａに、装着されたモニタ装置２の底面部３２ａに設けられた第１のコネクタ部３３と接続される第１のコネクタ受け部３６Ｂが設けられている。
【００４４】
第２のクレードル３Ｂは、第２のモニタ装着部３７Ｂが、図１に示すようにモニタ装置２を横長にして装着した状態において筐体３２の底面部３２ａと天井面部３２ｄ及び側面部３２ｂを保持するに足る空間部を構成してなる。第２のクレードル３Ｂは、第２のモニタ装着部３７Ｂに、装着されたモニタ装置２の側面部３２ｂに設けられた第２のコネクタ部３４と接続される第２のコネクタ受け部３６Ｂが設けられている。
【００４５】
クレードル３については、コネクタ受け部３６が、装着されたモニタ装置２の第１のコネクタ部３３と接続される第１のクレードル３Ａの機能と、第２のコネクタ部３４と接続される第２のクレードル３Ｂの機能を備えればよく、上述したように互いに独立した第１のクレードル３Ａと第２のクレードル３Ｂとして構成する必要は無い。クレードル３については、例えば図３に示したクレードル４０のようにモニタ装置２を縦置き姿勢Ｐ１と横置き姿勢Ｐ２とに装着可能とさせるものであってもよい。
【００４６】
クレードル４０は、互いに共同してモニタ装着部４１を構成する第１のホルダ部材４２と第２のホルダ部材４３とを組み合わせて構成される。クレードル４０は、断面形状が略Ｌ字状を呈する第１のホルダ部材４２と第２のホルダ部材４３とを、相対する長辺部位を組み合わせることによって断面形状が略コ字状を呈するように構成してなる。クレードル４０は、モニタ装着部４１の底面部を構成する第２のホルダ部材４３にコネクタ受け部４４が設けられている。
【００４７】
クレードル４０は、第１のホルダ部材４２に対して第２のホルダ部材４３がスライド自在に組み合わされており、第１のホルダ部材４２を基準として第２のホルダ部材４３を移動して対向間隔が調整されることで、モニタ装置２を縦置き姿勢Ｐ１と横置き姿勢Ｐ２とに装着可能とする。クレードル４０は、図３（Ａ）に示すようにモニタ装着部４１内に縦置き姿勢Ｐ１で装着されたモニタ装置２の第１のコネクタ部３３がコネクタ受け部４４と接続される。また、クレードル４０は、同図（Ｂ）に示すように第１のホルダ部材４２に対して第２のホルダ部材４３が移動されたモニタ装着部４１内に横置き姿勢Ｐ２で装着されたモニタ装置２の第２のコネクタ部３４がコネクタ受け部４４と接続される。
【００４８】
なお、一体型のクレードル３は、上述したクレードル４０の構造に限定されるものでは無い。モニタ装置２には、例えば第１のコネクタ部３３と第２のコネクタ部３４とをある基準面から同一位置に設ける。クレードル３は、モニタ装置２が縦置き姿勢Ｐ１或いは横置き姿勢Ｐ２であっても基準面があてがわれるようにしてクレードル装着部３７に装着されるすることで、基準面から所定の位置にコネクタ受け部３６が設けられる。クレードル３には、装着されたモニタ装置２を縦置き姿勢Ｐ１或いは横置き姿勢Ｐ２にかかわらず保持する適宜のロック機構等がクレードル装着部３７に設けられる。
【００４９】
情報端末装置１においては、上述したようにモニタ装置２がクレードル３に対して縦置き姿勢Ｐ１或いは横置き姿勢Ｐ２で装着されるとともにこの装着姿勢がコネクタ検出部３５によって検出するが、例えば図４に示すように制御処理部８においてその検出を行うようにしてもよい。すなわち、モニタ装置２は、制御処理部８のＣＰＵに設けられた汎用ポートの一部を検出端子４６、４７として第１のコネクタ部３３と第２のコネクタ部３４とを接続する。モニタ装置２においては、これら検出端子４６、４７をプルアップしておき第１のコネクタ部３３と第２のコネクタ部３４のいずれか一方がクレードル３側のコネクタ受け部３６と接続されることによって生じる検出端子４６、４７のハイ−ロウ（High-Low）変化を検出する。
【００５０】
モニタ装置２は、縦置き姿勢Ｐ１でクレードル３に装着することにより、第１のコネクタ部３３がコネクタ受け部３６と接続されることで第１の検出端子４６がHighからLowに変化する。モニタ装置２は、この状態では第２のコネクタ部３４がオープンのままであり、第２の検出端子４７がHighに保持される。モニタ装置２は、横置き姿勢Ｐ２でクレードル３に装着することによって、第２のコネクタ部３４がコネクタ受け部３６と接続されることで第２の検出端子４７がHighからLowに変化する。モニタ装置２は、この状態では第１のコネクタ部３３がオープンのままであり、第１の検出端子４６がHighに保持される。
【００５１】
したがって、モニタ装置２においては、図５に示した手順にしたがって縦置き姿勢Ｐ１と横置き姿勢Ｐ２との検出が行われる。モニタ装置２においては、制御処理部８において第１の検出端子４６の状態検出が行われ、この第１の検出端子４６のLow状態を検出することによって（ステップ１）、クレードル３に対して縦置き姿勢Ｐ１で装着されたと判断して所定の処理が行われる（ステップ２）。
【００５２】
モニタ装置２においては、第１の検出端子４６がHigh状態である場合に、第２の検出端子４７の状態検出が行われる。モニタ装置２においては、第２の検出端子４７のLow状態を検出することによって（ステップ３）、クレードル３に対して横置き姿勢Ｐ２で装着されたと判断して所定の処理が行われる（ステップ４）。なお、モニタ装置２においては、第２の検出端子４７もHigh状態であることを検出した場合には、クレードル３に装着して使用されていないと判断して、表示切換の処理は行われない（ステップ５）。
【００５３】
以上のように構成された情報端末装置１は、例えばモニタ装置２を自動車内に持ち込んでダッシュボード等に設置したクレードル３に装着して用いられる。情報端末装置１は、自動車内においてもっぱらカーナビゲーション機能やテレビ放送受信機能が利用されることから、クレードル３に対して横置き姿勢Ｐ２で装着され、必要に応じて縦置き姿勢Ｐ１に切り換えられる。情報端末装置１は、例えば自宅内等においてはパーソナルコンピュータ等と接続されてもっぱらＰＤＡ機能が利用されることから、クレードル３に対して縦置き姿勢Ｐ１で装着され、必要に応じて横置き姿勢Ｐ２に切り換えられる。
【００５４】
情報端末装置１においては、モニタ装置２の縦置き姿勢Ｐ１と横置き姿勢Ｐ２とが、上述したように第１のコネクタ部３３或いは第２のコネクタ部３４とクレードル３側のコネクタ受け部３６との接続状態をコネクタ検出部３５によって検出する。情報端末装置１においては、コネクタ検出部３５から出力された検出信号に基づいて制御処理部８において画像情報出力制御部１９に対して制御信号が出力される。情報端末装置１においては、自動車内において横長の画面表示が利用しやすいカーナビゲーション画像やテレビ放送画像がモニタ装置２のモニタ４に自動的に表示されるようになる。また、情報端末装置１においては、自宅内等において縦長の画面表示が利用しやすいＰＤＡ画像がモニタ装置２のモニタ４に自動的に表示されるようになる。
【００５５】
情報端末装置１においては、クレードル３に対するモニタ装置２の縦置き姿勢Ｐ１或いは横置き姿勢Ｐ２の装着姿勢に応じて、例えばカーナビゲーション機能モードとＰＤＡ機能モードを自動的に立ち上げることも可能である。情報端末装置１においては、コネクタ検出部３５から出力された検出信号に基づいて制御処理部８内に格納されたカーナビゲーション機能モード或いはＰＤＡ機能モードを立ち上げるアプリケーションソフトウェアが起動される。情報端末装置１においては、例えば制御処理部８から出力される制御信号に基づいて、無線通信部１２においてＧＰＳ信号の受信操作が行われるとともに現在位置情報に基づいて情報記憶処理部１１において地図情報等の再生操作が行われ、モニタ装置２のモニタ４に地図画像が表示される。
【００５６】
情報端末装置１においては、図６に示すようにモニタ装置２に、上述した第１のコネクタ部３３と第２のコネクタ部３４に加えて、例えば底面部３２ａと対向する天井面部３２ｄに第３のコネクタ部３８を設けるとともに、側面部３２ｂと対向する側面部３２ｃに第４のコネクタ部３９を設けてもよい。情報端末装置１においては、モニタ装置２の筐体３２に設けたこれらコネクタ部３３、３４、３８、３９を利用して、特定の機能モードが自動的に設定されるようにした使用形態で用いられる。
【００５７】
すなわち、情報端末装置１は、上述したようにモニタ装置２の底面部３２ａに設けた第１のコネクタ部３３をクレードル３に設けたコネクタ受け部３６と接続する縦置き姿勢Ｐ１において、ＰＤＡとして用いられる。情報端末装置１は、モニタ装置２の側面部３２ｂに設けた第２のコネクタ部３４をクレードル３のコネクタ受け部３６と接続する横置き姿勢Ｐ２において、カーナビゲーション装置として用いられる。
【００５８】
情報端末装置１は、モニタ装置２の天井面部３２ｄに設けた第３のコネクタ部３８をクレードル３のコネクタ受け部３６と接続した逆縦置き姿勢において、例えば大容量情報記憶部２１に記憶した音楽コンテンツ等をカーオディオ装置を利用して出力する装置として用いられる。情報端末装置１は、モニタ装置２の側面部３２ｃに設けた第４のコネクタ部３９をクレードル３のコネクタ受け部３６と接続した逆横置き姿勢において、例えばテレビ放送の受信モニタ或いは大容量情報記憶部２１に記憶した映画等の画像コンテンツの再生装置として用いられる。
【００５９】
情報端末装置１においては、図７に示すようにそれぞれ検出端子４８、４９の構成を異にしたコンタクト受け部３６Ｃ、３６Ｄを有する第３のクレードル３Ｃと第４のクレードル３Ｄを用いてモニタ装置２を装着操作することによって、その装着姿勢に基づく上述した機能モードの自動設定を行うことも可能である。すなわち、情報端末装置１は、第３のクレードル３Ｃが第３のコンタクト受け部３６Ｃに設けた検出端子４８をオープンとするとともに、第４のクレードル３Ｄが第４のコンタクト受け部３６Ｄに設けた検出端子４９をグランドに接続してなる。
【００６０】
一方、モニタ装置２は、制御処理部８のＣＰＵに設けられた汎用ポートの一部を検出端子５０として第１のコネクタ部３３と第２のコネクタ部３４とを接続する。モニタ装置２においては、これら検出端子５０をプルアップしておき第１のコネクタ部３３と第２のコネクタ部３４のいずれか一方が、第３のクレードル３Ｃの第３のコンタクト受け部３６Ｃと第４のクレードル３Ｄの第４のコンタクト受け部３６Ｄと接続されることによって生じる検出端子５０のHigh-Low変化を検出する。
【００６１】
情報端末装置１においては、上述したモニタ装置２と、第３のクレードル３Ｃ及び第４のクレードル３Ｄとの組合せによって、クレードル３に対するモニタ装置２の４つの装着姿勢が判別が可能となる。したがって、情報端末装置１においては、第１のコネクタ部３３と第３のコンタクト受け部３６Ｃとを接続することによって例えばＰＤＡ機能モードとして用い、また第１のコネクタ部３３と第４のコンタクト受け部３６Ｄとを接続することによって例えばカーオディオ機能モードとして用いる。また、情報端末装置１は、第２のコネクタ部３４と第３のコンタクト受け部３６Ｃとを接続することによって例えばカーナビゲーション機能モードとして用い、第２のコネクタ部３４と第４のコンタクト受け部３６Ｄとを接続することによって例えばテレビ放送の受信モニタ機能モードとして用いる。
【００６２】
ところで、上述した情報端末装置１においては、複数のコネクタ部３３、３４を設けたモニタ装置２を装着姿勢を異にしてクレードル３に装着することによって各コネクタ部３３、３４がクレードル３側のコネクタ受け部３６に対して選択的に接続され、この接続状態を検出して所定の機能モードに適応した画像表示が自動設定されるように構成されてなる。
【００６３】
図８に示した情報端末装置６０は、モニタ装置６１がクレードル６２に対して装着姿勢を一定で装着されるが、クレードル６２が回転支持機構６３を介して回転操作されることでモニタ装置６１を縦置き姿勢Ｐ１と横置き姿勢Ｐ２とする。情報端末装置６０は、モニタ装置６１の縦置き姿勢Ｐ１又は横置き姿勢Ｐ２が検出され、モニタ装置６１の表示モードが制御される。情報端末装置６０は、モニタ装置６１が基本的な構成を上述したモニタ装置２と同様とすることから、対応する部位に同一符号を付すことで説明を省略する。
【００６４】
モニタ装置６１は、矩形の表示画面を有するモニタ４を備え、筐体３２の底面部３２ａにコネクタ部６４が設けられている。モニタ装置６１は、図８に示すようにクレードル６２に対して縦型姿勢で装着されるが、回転支持機構６３を介して回転操作されるクレードル６２により、モニタ４が縦型画面と横型画面で画像表示を行うようになる。
【００６５】
クレードル６２は、底面部３２ａを装着面として装着されるモニタ装置６１を保持するモニタ装着部６６に、モニタ装置６１側のコネクタ部６４と接続されるコネクタ受け部６５が設けられている。クレードル６２は、回転支持機構６３によって回動自在に支持されて、モニタ装着部６６を垂直方向に開口させる第１の位置と、モニタ装着部６６を水平方向に開口させる第２の位置とに切り換え位置される。なお、クレードル６２は、回転支持機構６３を介して例えばダッシュボード等に設置される。
【００６６】
情報端末装置６０には、モニタ装置６１とクレードル６２の回転支持機構６３に、図９に示す第１の位置と第２の位置とに切り換えたクレードル６２を検出するクレードル位置検出機構６７が設けられている。クレードル位置検出機構６７は、モニタ装置６１側において、制御処理部８のＣＰＵに設けられた汎用ポートを検出端子６８としてコネクタ部６４と接続してプルアップしておく。クレードル位置検出機構６７は、クレードル６２側において、グランド接続された固定検出端子６９と、クレードル６２とともに回動動作するとともにコネクタ受け部６５と接続された可動検出端子７０とが設けられてなる。
【００６７】
クレードル位置検出機構６７は、モニタ装置６１がクレードル６２に装着されることによって、クレードル６２側の可動検出端子７０がモニタ装置６１側の検出端子６８と接続される。クレードル位置検出機構６７においては、クレードル６２が図９（Ａ）に示すように第１の位置に設定された状態では可動検出端子７０がオープンとされることで検出端子６８がHighとなっている。クレードル位置検出機構６７においては、クレードル６２が同図（Ｂ）に示すように第２の位置に設定された状態では可動検出端子７０が固定検出端子６９と接続されることで検出端子６８がHighからLowに変化する。
【００６８】
したがって、情報端末装置６０においては、検出端子６８からの検出信号に基づいて制御処理部８から各部に対してそれぞれ所定の制御信号が出力される。情報端末装置６０においては、制御処理部８から画像情報出力制御部１９に対して制御信号が出力され、クレードル６２が第１の位置では縦長の画面表示が利用しやすいＰＤＡ機能モードの設定が行われるとともに、クレードル６２が第２の位置では横長の画面表示が利用しやすいカーナビゲーション機能モードの設定が行われて、画像やテレビ放送画像がモニタ装置２のモニタ４に自動的に表示されるようになる。また、情報端末装置１においては、自宅内等において画像がモニタ装置２のモニタ４に自動的に表示されるようになる。
【００６９】
なお、情報端末装置６０は、筐体３２の底面部３２ａにコネクタ部６４を設けたモニタ装置６１をクレードル６２に装着するようにしたが、上述したモニタ装置２と同様に底面部と側面部にそれぞれコネクタ部を設けたり、底面部と両側面部或いは天井面部にそれぞれコネクタ部を設けて構成してもよい。情報端末装置６０は、クレードル６２がこのモニタ装置６１を縦置き姿勢と横置き姿勢、或いは逆縦置き姿勢と逆横置き姿勢とに装着可能とするモニタ装着部を構成し、モニタ装置６１の装着姿勢とクレードル６２の回転姿勢との組合せによってさらに多様の機能モードの自動設定を可能とすることが可能となる。
【００７０】
上述した実施の形態として示した情報端末装置１は、モニタ装置２を自動車内に持ち込んで設置されたクレードル３に装着してＰＤＡ機能とカーナビゲーション機能を中心として用いる使用形態について説明したが、かかる使用形態に限定されるものでは無いことは勿論である。情報端末装置１は、画像の表示モードを異にした複数の機能モードを有しており、所定の場所において主として使用する機能モードに応じて最適な表示が行われるようにモニタ装置２とクレードル３とが組み合わされるようにして使用される。
【図面の簡単な説明】
【００７１】
【図１】実施の形態として示す情報端末装置の使用形態を説明する図である。
【図２】情報端末装置の構成図である。
【図３】情報端末装置の使用状態を示し、同図（Ａ）は縦置き姿勢での使用状態を、同図（Ｂ）は横置き姿勢での使用状態を示す。
【図４】モニタ装置の縦置き姿勢と横置き姿勢とを検出する検出回路の構成図である。
【図５】モニタ装置の縦置き姿勢と横置き姿勢とによる機能モードの設定動作のフローチャートである。
【図６】他のモニタ装置の正面図である。
【図７】モニタ装置の縦置き姿勢と横置き姿勢とを検出する他の検出回路の構成図である。
【図８】第２の実施の形態として示す情報端末装置の使用形態を説明する図である。
【図９】クレードルに設けたモニタ装置の縦置き姿勢と横置き姿勢とを検出する検出回路の構成図を示し、同図（Ａ）は縦置き姿勢での使用状態を、同図（Ｂ）は横置き姿勢を示す。
【符号の説明】
【００７２】
１  情報端末装置、２  モニタ装置、３  クレードル、４  モニタ、５  スロット部、６  拡張モジュール体、７  主機器、８  制御処理部、９  入力操作部、１０  出力部、１１  情報記憶処理部、１２  無線通信部、１３  接続部、１４  電源部、１５  クレードル装着部、１９  画像情報出力制御部、２０  画像出力部、２１  大容量情報記憶部、２２  記録再生部、２４  無線受信ユニット、２５  ＧＰＳ受信ユニット、３２  筐体、３３  第１のコネクタ部、３４  第２のコネクタ部、３５  コネクタ検出部、３６  コネクタ受け部、３７  モニタ装着部、４０  クレードル、４６〜５０  検出端子
【図１】
2005043676.tif 000003
【図２】
2005043676.tif 000004
【図３】
2005043676.tif 000005
【図４】
2005043676.tif 000006
【図５】
2005043676.tif 000007
【図６】
2005043676.tif 000008
【図７】
2005043676.tif 000009
【図８】
2005043676.tif 000010
【図９】
2005043676.tif 000011